(57)【要約】【課題】チェンジレバー８のシフト方向およびセレクト方向の操作を、同一の検出スイッチ１８で検出する。【解決手段】ケーシング２の両側壁２ａ、２ｂ間に水平軸１０が回転可能に支持され、上方からケーシング２内に挿入されたチェンジレバー８がピン１２により連結されている。チェンジレバー８は、水平軸１０とともにその軸線回りに回動可能であり、また、水平軸１０の軸線方向に回動できる。水平軸１０を支持する一方の壁面２ａに検出スイッチ１８が設けられ、水平軸１０と一体回転する検出アーム１４がこの検出スイッチ１８内のフォトインタラプタ２４を遮蔽してシフト位置を検出する。また、チェンジレバー８のセレクト方向の操作は、このチェンジレバー８によって水平面内で回転するスイッチレバー３２により、前記検出スイッチ１８内の別のフォトインタラプタ２６を遮蔽してセレクト位置を検出する。【選択図】        図６
2004175195.tif 000002
【特許請求の範囲】
【請求項１】
セレクト方向およびシフト方向に回動可能なチェンジレバーと、チェンジレバーのシフト方向の位置およびセレクト方向の位置を検出する検出手段とを備えたチェンジレバーユニットにおいて、
単一の検出手段に、チェンジレバーの一方向への移動位置を検出する第１センサ素子に加えて、他方向への移動位置を検出する第２センサ素子を設けるとともに、チェンジレバーの前記他方向への移動に応じて回転する回転手段を設け、この回転手段を介してチェンジレバーの前記他方向への移動位置を検出することにより、前記単一の検出手段によりチェンジレバーのセレクト方向およびシフト方向の移動位置を検出可能にしたことを特徴とするチェンジレバーユニット。
【請求項２】
ケーシングの両側壁間に回転可能に支持された水平軸と、ケーシングの上方から挿入されて前記水平軸に連結され、水平軸の周方向および軸線方向に回動可能なチェンジレバーと、チェンジレバーの前記周方向への移動位置および軸線方向への移動位置を検出する検出スイッチとを備えたチェンジレバーユニットにおいて、
前記チェンジレバーの、水平軸の周方向への回転に伴って回転する検出アームと、水平軸の軸線方向への回転に伴って回転するスイッチレバーとを設けるとともに、単一のスイッチケース内に、前記検出アームの位置を検出するセンサ素子と、スイッチレバーの位置を検出するセンサ素子とを設けたことを特徴とするチェンジレバーユニット。
【請求項３】
前記スイッチケースは、水平軸を支持する一方の壁面に取付けられ、その内部に、水平軸とともに回転する検出アームの位置を検出するセンサ素子と、回転軸に支持されて水平面内で回転するスイッチレバーの位置を検出するセンサ素子とが設けられていることを特徴とする請求項２に記載のチェンジレバーユニット。
【発明の詳細な説明】
【０００１】
【発明が属する技術分野】
本発明は、チェンジレバーのセレクト方向およびシフト方向の回動操作による移動位置を検出する検出スイッチを備えたチェンジレバーユニットに関するものである。
【０００２】
【従来の技術】
チェンジレバーユニットは、一般に、ケーシング内に回転可能に支持させた水平軸に、直立したチェンジレバーを連結し、このチェンジレバーの前記水平軸と直交する方向（シフト方向）の回動を、シフト位置検出スイッチで検出し、水平軸の軸線に沿った方向（セレクト方向）の回動をセレクト位置検出スイッチで検出することにより、チェンジレバーの移動位置を検出するようにしている（例えば、特許文献１参照）。
【０００３】
前記従来のチェンジレバーユニットの一例について、図７ないし図１０により説明する。このチェンジレバーユニット１０１は、ケーシング１０２の両側壁１０２ａ、１０２ｂ間に亘って回転自在に支持された水平軸１１０を、このケーシング１０２内にほぼ直立した状態で挿入したチェンジレバー１０８に形成された貫通孔１０８ａ内を挿通させ、かつ、これらチェンジレバー１０８と水平軸１１０とをピン１１２により連結して、前記チェンジレバー１０８を水平軸１１０とともにこの水平軸１１０の周方向に回動可能にするとともに、この水平軸１１０の軸線方向（図８の左右方向）に向かって傾斜させることができるようになっている。
【０００４】
水平軸１１０の一端（図８の左端）には、チェンジレバー１０８がこの水平軸１１０の周方向に回転した際の移動位置を検出するための第１アーム１１４が、止めピン１１６により固定されている。また、水平軸１１０と直交する方向のケーシング１０２の壁面１０２ｃに、短軸１４０が回動自在に支持され、この短軸１４０の周囲に、チェンジレバー１０８が水平軸１１０の軸線方向に回動した際の移動位置を検出するための第２アーム１４２が、止めピン１４４により固定されている。
【０００５】
前記短軸１４０の端部には、下方へ延びた後水平方向へ湾曲するほぼＬ字状の係合片１４６が固定されており、この係合片１４６に形成された水平軸１１０と直交する方向の長溝１４６ａ内に、前記チェンジレバー１０８の下部が嵌入している。チェンジレバー１０８が水平軸１１０の周方向に回動するときには、この係合片１４６と干渉しないが、水平軸１１０の軸線方向に回動するときには、長溝１４６ａの側面に係合して係合片１４６を回転させ、これとともに前記短軸１４０および第２の検出アーム１４２を回転させる。
【０００６】
前記第１アーム１１４の回動範囲および第２アーム１４２の回動範囲には、それぞれシフト位置検出スイッチ１１８およびセレクト位置検出スイッチ１４８が配置され、前記シフトレバー１０８の回動に伴うアーム１１４、１４２の変位がこれら検出スイッチ１１８、１４８によって電気的に検出されるようになっている。
【０００７】
【特許文献１】
特開平８−２１９２６４号公報（第２頁、図５および図６）
【０００８】
【発明が解決しようとする課題】
前記構成に係る従来のチェンジレバーユニットでは、水平軸が支持されている壁面の一方にシフト位置検出スイッチが、この壁面と直角な壁面にセレクト位置検出スイッチがそれぞれ設けられている。このように従来の構成では、セレクト側とシフト側とにそれぞれ１個ずつスイッチを備えているため、チェンジレバーユニット内のスペースを大きく占有してしまうので、チェンジレバーユニットの小型化が困難であるという問題があった。また、組付け時には、シフト側およびセレクト側のスイッチをそれぞれ別の壁面に取り付ける必要があるため、組立時の工数が多くなってしまうという問題もあった。しかも、シフト側およびセレクト側スイッチのそれぞれに低電圧回路が必要であるという問題もあった。
【０００９】
本発明は、前記課題を解決するためになされたもので、単一の検出スイッチによりチェンジレバーのシフト方向の動作およびセレクト方向の動作の両方向の動作を検出することができるチェンジレバーユニットを提供することを目的とするものである。
【００１０】
【課題を解決するための手段】
請求項１に記載された発明に係るチェンジレバーユニットは、セレクト方向およびシフト方向に回動可能なチェンジレバーと、チェンジレバーのシフト方向の位置およびセレクト方向の位置を検出する検出手段とを備えたものであって、特に、単一の検出手段に、チェンジレバーの一方向への移動位置を検出する第１センサ素子に加えて、他方向への移動位置を検出する第２センサ素子を設けるとともに、チェンジレバーの前記他方向への移動に応じて回転する回転手段を設け、この回転手段を介してチェンジレバーの前記他方向への移動位置を検出することにより、前記単一の検出手段によりチェンジレバーのセレクト方向およびシフト方向の移動位置を検出可能にしたものである。
【００１１】
この発明に係るチェンジレバーユニットでは、チェンジレバーのシフト方向の操作を、検出手段に設けたセンサ素子で検出するとともに、セレクト方向の操作も、同じ検出手段に設けた別のセンサ素子で検出することができる。つまり、同一の検出手段でシフト方向およびセレクト方向の両方向の操作位置を検出することができ、チェンジレバーユニットの小型化、組立工数の減少、検出手段を構成する部品点数の削減、コストダウン等を行うことができる。
【００１２】
また、請求項２に記載の発明は、ケーシングの両側壁間に回転可能に支持された水平軸と、ケーシングの上方から挿入されて前記水平軸に連結され、水平軸の周方向および軸線方向に回動可能なチェンジレバーと、チェンジレバーの前記周方向への移動位置および軸線方向への移動位置を検出する検出スイッチとを備えたものであって、特に、前記チェンジレバーの、水平軸の周方向への回転に伴って回転する検出アームと、水平軸の軸線方向への回転に伴って回転するスイッチレバーとを設けるとともに、単一のスイッチケース内に、前記検出アームの位置を検出するセンサ素子と、スイッチレバーの位置を検出するセンサ素子とを設けたものである。
【００１３】
この発明に係るチェンジレバーユニットは、チェンジレバーを水平軸の周方向に回動操作すると、検出アームが一体的に回転し、スイッチケース内に設けられたセンサ素子によってその位置が検出され、チェンジレバーを水平軸の軸線方向に回動すると、スイッチレバーが回転して、前記スイッチケース内の別のセンサ素子によってその位置が検出され、単一の検出スイッチによってシフト方向およびセレクト方向の両方向の位置を検出することができる。
【００１４】
さらに、請求項３に記載の発明は、前記スイッチケースは、水平軸を支持する一方の壁面に取付けられ、その内部に、水平軸とともに回転する検出アームの位置を検出するセンサ素子と、回転軸に支持されて水平面内で回転するスイッチレバーの位置を検出するセンサ素子とが設けられていることを特徴とするものである。
【００１５】
【発明の実施の形態】
以下、図面に示す実施の形態により本発明を説明する。図１は本発明の一実施の形態に係るチェンジレバーユニットの平面図、図２は図１のＩＩ−ＩＩ線に沿う断面図、図３は図１のＩＩＩ−ＩＩＩ線に沿う断面図である。
【００１６】
このチェンジレバーユニット（全体として符号１で示す）は、図１に示すように、ケーシング２の上面に取り付けられたアッパーカバー４にシフトパターン溝６が形成され、このシフトパターン溝６を貫通して、チェンジレバー８の下部がケーシング２の内部に挿入されている。
【００１７】
この実施の形態に係るチェンジレバーユニット１のシフトパターンは、図１の上下方向に配置された左右および中央３列のシフトラインと、これらシフトライン間を接続するセレクトラインとを有しており、第１のシフトライン（図１の右側のシフトライン）はリバースＲ、中央のシフトラインはニュートラルＮと走行（発進から自動変速）Ｄであり、第３（左側）のシフトラインは、手動操作用のアップシフトＵＰとホールド（一定走行保持）ＨＯＬＤとダウンシフトＤＯＷＮであり、通常、前記チェンジレバー８を、自動変速にて前進走行中の前記Ｄの位置から、セレクトラインを通って、前記左側のシフトラインＵＰ−ＨＯＬＤ−ＤＯＷＮの一定走行中の前記ＨＯＬＤ位置に移動させて、手動でアップシフトまたはダウンシフト操作を行う。
【００１８】
前記ケーシング２の両側壁２ａ、２ｂ間に水平軸１０が回転可能に支持されている。前記チェンジレバー８のケーシング２内に挿入された下端部には、前記水平軸１０の軸線方向（図２の左右方向）に切り欠かれた凹溝８ａが形成されており、この凹溝８ａ内に前記水平軸１０が嵌合している。凹溝８ａが形成されているチェンジレバー８の下端部と水平軸１０とが、この水平軸１０と直交する方向の連結ピン１２によって連結されている。従って、チェンジレバー８は、水平軸１０と一体的にこの水平軸１０の軸線回り、つまり周方向に回動（チェンジレバー８が図３の左右方向に回動）することができ、また、水平軸１０の軸線方向に回動（図２の左右方向に回動）できるようになっている。
【００１９】
前記水平軸１０の一端部（図２の左端部）寄りには、チェンジレバー８が水平軸１０の軸線回りに回動する方向（シフト方向）の移動位置を検出する変位検出アーム１４が取り付けられている。この変位検出アーム１４は、水平軸１０に嵌合され止めピン１６によって固定された筒状部１４ａから上方へ延びており、チェンジレバー８の操作により水平軸１０が回転するとこの水平軸１０と一体的に回転する。
【００２０】
前記変位検出アーム１４が設けられている側のケーシング２の壁面２ａに、チェンジレバー８の操作によるシフト位置およびセレクト位置を検出する検出スイッチ１８が設けられている。この検出スイッチ１８は、ケーシング２の前記壁面２ａに固定されたスイッチケース２０（図４および図５参照）を有しており、このスイッチケース２０内のスイッチ基板２２上に、シフト方向の位置を検出するフォトインタラプタ等のセンサ素子（第１センサ素子）２４と、後に説明するスイッチレバーを介してセレクト方向の位置を検出するセンサ素子（第２センサ素子）２６が設けられている。
【００２１】
前記水平軸１０に設けられた、シフト方向の変位を検出する変位検出アーム１４は、チェンジレバー８のシフト方向の操作により、水平軸１０とともに回転し、その先端に設けられている遮蔽板部２８が、複数のフォトインタラプタ２４のいずれかを遮蔽することによりシフト方向の位置を検出する。
【００２２】
さらに、スイッチケース２０に支持されている回転中心軸３０に、スイッチレバー３２が取付けられて、水平面内で回転するようになっている。このスイッチレバー３２は、図５および図６に示すように、チェンジレバー８の側面に係合して、チェンジレバー８のセレクト方向の移動に応じて回転運動する係合部３２ａと、この係合部３２ａと逆の端部に設けられ、前記スイッチケース２０内のセレクト位置検出用のフォトインタラプタ２６を遮蔽する遮蔽板部３２ｂとを有している。このスイッチレバー３２は、ねじりコイルばね３４によって、前記係合部３２ａがチェンジレバー８に押し付けられる方向に常時付勢されている。
【００２３】
前記スイッチレバー３２は、チェンジレバー８のセレクト方向の動きに追従して回転するが、ストッパ３２ｃ、３２ｄが設けられており、一定の角度回転するとその位置で停止してチェンジレバー８から離れ、チェンジレバー８が戻ってくると、再びチェンジレバー８に追従して回転し、セレクト位置の検出を行う。これらストッパ３２ｃ、３２ｄは、図５に示すように、両回転方向に対して設けられており、オーバー回転によるフォトインタラプタ２６への誤信号を防止している。
【００２４】
この実施の形態に係るチェンジレバーユニット１では、チェンジレバー８のシフト方向の操作が行われた際には、従来の構成と同様に、チェンジレバー８の回動に伴って水平軸１０がその軸線回りに回転し、この回転とともに変位検出レバー１４が回転する。この変位検出レバー１４の回転により、その先端に設けた遮蔽板部２８がシフト位置検出用のフォトインタラプタ２４のいずれかを遮蔽し、そのシフト位置が検出される。
【００２５】
一方、チェンジレバー８のセレクト方向の操作が行われた際には、チェンジレバー８の回動に応じてスイッチレバー３２が水平面内で回転し、その係合部３２ａと逆の端部に設けられている遮蔽板部３２ｂが、前記検出スイッチ１８に設けられているセレクト位置検出用のフォトインタラプタ２６のいずれかを遮蔽することにより、そのセレクト方向の位置が検出される。このようにこの実施の形態では、従来の構成で、チェンジレバーのシフト位置を検出するために設けられていた検出スイッチに、シフト位置検出用のセンサ素子に加えてセレクト位置検出用のセンサ素子を設け、チェンジレバーのセレクト方向の操作を、スイッチレバーを介して前記セレクト位置検出用のセンサ素子で検出できるようにしたので、単一の検出スイッチで、シフト方向およびセレクト方向の両方向の操作位置を検出することができる。
【００２６】
また、前記実施の形態では、検出センサのセンサ素子としてフォトインタラプタ２４、２６を用いたが、フォトインタラプタに限るものではなく、その他のセンサ素子を用いるようにしても良い。
【００２７】
なお、本発明は、前記実施の形態で説明した構造に限定されるものではなく、各部の形状、構造等を適宜変形、変更しうることはいうまでもない。いずれにしても、従来シフト方向の移動位置を検出するために用いていた検出スイッチに、他方のセレクト方向の移動位置を検出するセンサ素子を設け、またはセレクト方向の移動位置を検出するために用いていた検出スイッチに、シフト方向の移動位置を検出するセンサ素子を設けることにより、チェンジレバーのシフト方向およびセレクト方向の動作を同一のスイッチで検出できるようにすればよい。
【００２８】
【発明の効果】
以上説明したように請求項１に記載した発明によれば、セレクト方向およびシフト方向に回動可能なチェンジレバーと、チェンジレバーのシフト方向の位置およびセレクト方向の位置を検出する検出手段とを備えたチェンジレバーユニットにおいて、単一の検出手段に、チェンジレバーの一方向への移動位置を検出する第１センサ素子に加えて、他方向への移動位置を検出する第２センサ素子を設けるとともに、チェンジレバーの前記他方向への移動に応じて回転する回転手段を設け、この回転手段を介してチェンジレバーの前記他方向への移動位置を検出することにより、前記単一の検出手段によりチェンジレバーのセレクト方向およびシフト方向の移動位置を検出可能にしたことにより、検出手段の数を２個から１個に削減することができる。従って、チェンジレバーユニットの小型化が可能である。また、組立工数を減少することができ、検出手段の構成部品の点数を削減することができるので、検出手段のコストダウンを図ることができる。
【００２９】
また、請求項２に記載の発明によれば、ケーシングの両側壁間に回転可能に支持された水平軸と、ケーシングの上方から挿入されて前記水平軸に連結され、水平軸の周方向および軸線方向に回動可能なチェンジレバーと、チェンジレバーの前記周方向への移動位置および軸線方向への移動位置を検出する検出スイッチとを備えたチェンジレバーユニットにおいて、前記チェンジレバーの、水平軸の周方向への回転に伴って回転する検出アームと、水平軸の軸線方向への回転に伴って回転するスイッチレバーとを設けるとともに、単一のスイッチケース内に、前記検出アームの位置を検出するセンサ素子と、スイッチレバーの位置を検出するセンサ素子とを設けたことにより、検出スイッチの数を２個から１個に削減することができる。従って、チェンジレバーユニットの小型化が可能である。また、組立工数を減少することができ、スイッチ構成部品の点数を削減することができるので、検出スイッチのコストダウンを図ることができる。
【図面の簡単な説明】
【図１】本発明の一実施の形態に係るチェンジレバーユニットの平面図である。
【図２】図１のＩＩ−ＩＩ線に沿う断面図である。
【図３】図１のＩＩＩ−ＩＩＩ線に沿う断面図である。
【図４】検出スイッチの内部構造を示す図である。
【図５】図２のＶ−Ｖ線に沿う断面図である。
【図６】図１のアッパーカバーを外した状態を示す図である。
【図７】従来のチェンジレバーユニットの平面図である。
【図８】図７のＶＩＩＩ−ＶＩＩＩ線に沿う断面図である。
【図９】図７のＩＸ−ＩＸ線に沿う断面図である。
【図１０】図８のＸ−Ｘ線に沿う断面図である。
【符号の説明】
１    チェンジレバーユニット
２    ケーシング
８    チェンジレバー
１０    水平軸
１４    検出アーム
１８    検出手段（検出スイッチ）
２４    第１センサ素子（シフト用センサ素子）
２６    第２センサ素子（セレクト用センサ素子）
３２    スイッチレバー
【図１】
2004175195.tif 000003
【図２】
2004175195.tif 000004
【図３】
2004175195.tif 000005
【図４】
2004175195.tif 000006
【図５】
2004175195.tif 000007
【図６】
2004175195.tif 000008
【図７】
2004175195.tif 000009
【図８】
2004175195.tif 000010
【図９】
2004175195.tif 000011
【図１０】
2004175195.tif 000012